(57)【要約】      （修正有）【課題】足裏の蒸れが発生しない機能性に加えて良好なクッション性による優れた履き心地と長期にわたる保形性及び耐久性と優れたデザイン性を備えるスリッパを提供する。【解決手段】部材が底板２、合成樹脂シート３、中板４、上面の前半が斜めに削切されて形成されるインナーヒール５、通気性中敷き６、発泡ヒールクッション７、甲布８及び環状の縁テープ９から構成されるスリッパにおいて、互いに一致して連通する通気孔１０と１１を上下に貫通して備える上部と下部との対応面に夫々通気孔１０及び１１を除いて塗布された接着剤により仮止めした状態で上部と下部とを上下部一体用縫糸により縫着重合してなるスリッパである。【選択図】図１
0003147378.tif 000002
【実用新案登録請求の範囲】
【請求項１】
部材が底板、合成樹脂シート、中板、上面の前半が斜めに削切されて形成されるインナーヒール、通気性中敷き、甲布及び環状の縁テープから構成されるスリッパにおいて、互いに一致して連通する通気孔を上下に貫通して備える上部と下部との対応面に夫々前記通気孔を除いて塗布された接着剤又はその他の固定手段により仮止めした状態で上部と下部とを上下部一体用縫糸により縫着重合してなるスリッパ。
【請求項２】
前記下部は、前記底板の下面に合成樹脂シートを被覆し、その外側にはみ出る周縁部を前記底板の外形縁に沿って上方に折り曲げ、該周縁部を底板の上面に折り曲げ接着し、甲布が対応する部分に通気孔を所要の大きさと相互に所要の間隔を存して多数個所に上下に貫通して開口してなる請求項１のスリッパ。
【請求項３】
前記上部は、前記中板の上面の周縁部及びヒール部に接着剤を塗布した後、中板の上面に前記通気性中敷きを接着重合し、その通気性中敷きの前半部に甲布の下周縁部を重合し、その甲布の下周縁部を含む通気性中敷きの全周縁に、前記環状の縁テープを裏返してその内周縁を重合した後、その内周縁の全周を上部一体用縫糸により環状に逢着し、前記インナーヒールの上面に塗布した接着剤により該インナーヒールを中板の下面に接着した後、前記環状の縁テープを、前記内側の上部一体用縫糸による環状逢着列に沿って外側に折返し、その外周縁を前記中板の下側に折返して通気性中敷き、甲布の下周縁部、インナーヒール及び中板を包み、かつ、中板及びインナーヒールの下面に塗布した接着剤に接着重合し、前記中板に前記底板の通気孔と一致する通気孔を上下に貫通して開口してなる請求項１のスリッパ。
【請求項４】
部材がＥＶＡ製底板、被覆用塩化ビニールシート、ＥＶＡ製中板、上面の前半が斜めに削切されて形成されるＥＶＡ製インナーヒール、通気性中敷き、発泡ヒールクッション、甲布及び環状の縁テープから構成されるスリッパにおいて、前記ＥＶＡ製底板の下面に被覆用塩化ビニールシートを被覆し、その外側にはみ出る周縁部を前記ＥＶＡ製底板の外形縁に沿って上方に折り曲げ、該周縁部をＥＶＡ製底板の上面に折り曲げ接着し、甲布が対応する部分に通気孔を所要の大きさと相互に所要の間隔を存して多数個所に上下に貫通して開口してなる下部を設け、前記ＥＶＡ製中板は、前記ＥＶＡ製底板の通気孔と一致する通気孔を上下に貫通して備え、該ＥＶＡ製中板の上面に接着剤を塗布した後、発泡ヒールクッションを接着重合し、その発泡ヒールクッションを含めてＥＶＡ製中板の上面に前記通気性中敷きを接着重合し、該通気性中敷きの前半部に前記甲布の下周縁部を重合し、該甲布の下周縁部を含む通気性中敷きの全周縁に、前記環状の縁テープを裏返して該内周縁を重合した後、該内周縁の全周を上部一体用縫糸により環状に逢着し、前記ＥＶＡ製インナーヒールの上面に接着剤を塗布し、該ＥＶＡ製インナーヒールを前記ＥＶＡ製中板の下面に接着した後、前記環状の縁テープを、前記上部一体用縫糸による環状逢着列に沿って外側に折返し、該外周縁を前記ＥＶＡ製中板の下側に折返して通気性中敷き、甲布の下周縁部、ＥＶＡ製インナーヒール及びＥＶＡ製中板を包み、かつ、ＥＶＡ製中板及びＥＶＡ製インナーヒールの下面に塗布した接着剤に接着重合して上部を設け、該上部の通気孔と前記下部の通気孔とを一致して接着重合した後、前記縁テープの内周縁の内側を上下部一体用縫糸により環状に逢着してスリッパの上部と下部を一体に逢着結合してなるスリッパ。
【考案の詳細な説明】
【技術分野】
【０００１】
本考案は、甲布で覆われる足裏の蒸れが発生しない機能性に加えて良好なクッション性による優れた履き心地と長期にわたる保形性及び耐久性と優れたデザイン性とを備えるスリッパに関するものである。
【背景技術】
【０００２】
従来、底部内面に通気孔を設けたスリッパは、多数提案されている。例えば、特許文献１には、ＥＶＡ製の底板１の中央及び踵部の中心に通気孔８を複数個所に設ける。甲皮６をナイロンメッシュの中敷２に接着し、前記底板１を当てて周囲を縫合する。次に、馬蹄型のヒール材４を前記中敷２の踵部に配して接着し、その上から通気性のある表装材３を包み周囲を接着し、全体を完成するものが提案されている。
【特許文献１】実用新案登録第３０７２２２０号登録公報
【考案の開示】
【考案が解決しようとする課題】
【０００３】
前記特許文献１のスリッパは、底板１の中央及び踵部の中心に通気孔８を複数個所に設けるものであるから、通気性の目的を達成するものである。しかし、ヒール材４が馬蹄型であるからフラットな支承面を構成することができなく、踵部の良好なクッション性を獲得できないものであった。
【０００４】
本考案のスリッパは、甲布で覆われる足裏の蒸れが発生しない機能性に加えてＥＶＡ製厚底の良好なクッション性及びＥＶＡ製インナーヒールによる優れた履き心地と堅牢な作りよる型くずれのしない長期にわたる保形性及び底裏の塩化ビニールシートの被覆による耐久性と外観上のデザインの向上とを目的になされたものである。
【課題を解決するための手段】
【０００５】
本考案は、部材が底板、合成樹脂シート、中板、上面の前半が斜めに削切されて形成されるインナーヒール、通気性中敷き、甲布及び環状の縁テープから構成されるスリッパにおいて、互いに一致して連通する通気孔を上下に貫通して備える上部と下部との対応面に夫々前記通気孔を除いて塗布された接着剤又はその他の固定手段により仮止めした状態で上部と下部とを上下部一体用縫糸により縫着重合してなるスリッパにある。
【０００６】
前記下部は、前記底板の下面に合成樹脂シートを被覆し、その外側にはみ出る周縁部を前記底板の外形縁に沿って上方に折り曲げ、該周縁部を底板の上面に折り曲げ接着し、甲布が対応する部分に通気孔を所要の大きさと相互に所要の間隔を存して多数個所に上下に貫通して開口して設けてもよいものである。
【０００７】
前記上部は、前記中板の上面の周縁部及びヒール部に接着剤を塗布した後、中板の上面に前記通気性中敷きを接着重合し、その通気性中敷きの前半部に甲布の下周縁部を重合し、その甲布の下周縁部を含む通気性中敷きの全周縁に、前記環状の縁テープを裏返してその内周縁を重合した後、その内周縁の全周を上部一体用縫糸により環状に逢着し、前記インナーヒールの上面に塗布した接着剤により該インナーヒールを中板の下面に接着した後、前記環状の縁テープを、前記内側の上部一体用縫糸による環状逢着列に沿って外側に折返し、その外周縁を前記中板の下側に折返して通気性中敷き、甲布の下周縁部、インナーヒール及び中板を包み、かつ、中板及びインナーヒールの下面に塗布した接着剤に接着重合し、前記中板に前記底板の通気孔と一致する通気孔を上下に貫通して開口してもよいものである。
【０００８】
本考案は、部材がＥＶＡ製底板、被覆用塩化ビニールシート、ＥＶＡ製中板、上面の前半が斜めに削切されて形成されるＥＶＡ製インナーヒール、通気性中敷き、発泡ヒールクッション、甲布及び環状の縁テープから構成されるスリッパにおいて、前記ＥＶＡ製底板の下面に被覆用塩化ビニールシートを被覆し、その外側にはみ出る周縁部を前記ＥＶＡ製底板の外形縁に沿って上方に折り曲げ、該周縁部をＥＶＡ製底板の上面に折り曲げ接着し、甲布が対応する部分に通気孔を所要の大きさと相互に所要の間隔を存して多数個所に上下に貫通して開口してなる下部を設け、前記ＥＶＡ製中板は、前記ＥＶＡ製底板の通気孔と一致する通気孔を上下に貫通して備え、該ＥＶＡ製中板の上面に接着剤を塗布した後、発泡ヒールクッションを接着重合し、その発泡ヒールクッションを含めてＥＶＡ製中板の上面に前記通気性中敷きを接着重合し、該通気性中敷きの前半部に前記甲布の下周縁部を重合し、該甲布の下周縁部を含む通気性中敷きの全周縁に、前記環状の縁テープを裏返して該内周縁を重合した後、該内周縁の全周を上部一体用縫糸により環状に逢着し、前記ＥＶＡ製インナーヒールの上面に接着剤を塗布し、該ＥＶＡ製インナーヒールを前記ＥＶＡ製中板の下面に接着した後、前記環状の縁テープを、前記上部一体用縫糸による環状逢着列に沿って外側に折返し、該外周縁を前記ＥＶＡ製中板の下側に折返して通気性中敷き、甲布の下周縁部、ＥＶＡ製インナーヒール及びＥＶＡ製中板を包み、かつ、ＥＶＡ製中板及びＥＶＡ製インナーヒールの下面に塗布した接着剤に接着重合して上部を設け、該上部の通気孔と前記下部の通気孔とを一致して接着重合した後、前記縁テープの内周縁の内側を上下部一体用縫糸により環状に逢着してスリッパの上部と下部を一体に逢着結合してなるスリッパとしてもよいものである。
【考案の効果】
【０００９】
本考案は、スリッパ底部分に上下に貫通する通気孔を開口しているから通気性をもたせて足裏の蒸れを防止する。
【００１０】
本考案のスリッパは、合成樹脂シートを底板の下面に連接し、外形縁より折曲げてその周縁部を底板の上面に連接して包み込むものであるから、底板の下面及び外形縁は保護され、合成樹脂シートの耐摩耗性により長期の使用が可能となる。また、合成樹脂シートのヒール部の外面には滑り止めが施されているからスリップすることがなく安全に室内履きとして使用することができる。
【００１１】
また、底部を、合成樹脂シートで被覆した底板と中板とインナーヒールとによる多層に設けるから、厚底を構成してクッション性と断熱性に優れると共に、ヒール部を前下がり傾斜面に形成されて歩行時にスリッパの抜け落ち防止を図ることができる。
【００１２】
スリッパの上部は、環状の縁テープを裏返して裏面を上に向けた状態で、前記中敷きの内周縁及びその内周縁に重合する甲布の周縁部上に重合して、上部一体用縫糸により環状の縁テープと通気性中敷きと甲布の周縁部を中板と一体に縫着重合することができる。
【００１３】
前記環状の縁テープの外周縁を中板の下面に接着重合したインナーヒールの下面及び残余の中板の下面に折返して重合させ、甲布の下周縁、通気性中敷き、中板４及びインナーヒール５を包んで保護することができる。
【００１４】
スリッパの上部と下部に構成するから、対応面に塗布した接着剤又はその他の固定手段により仮止めし、上部の通気孔と下部の通気孔を一致した状態で上部と下部を上下部一体用縫糸により一体に縫着重合することができ、生産性において有利である。
【００１５】
前記中板の上面のヒール部に発泡クッションを重合する構成では、発泡クッションの復帰力により通気性中敷きのヒール部を盛り上げ、良好なクッション性を構成するばかりでなく、外面にボリュウムを構成し、外観上の商品価値を高めるものである。
【考案を実施するための最良の形態】
【００１６】
部材がＥＶＡ製底板２、被覆用塩化ビニールシート３、ＥＶＡ製中板４、上面の前半が斜めに削切されて形成されるＥＶＡ製インナーヒール５、通気性中敷き６、発泡ヒールクッション７、甲布８及び素材布をバイアス方向に裁断されて形成される縁テープ９から構成されるスリッパにおいて、前記ＥＶＡ製底板２の下面２ａに被覆用塩化ビニールシート３を被覆し、その外側にはみ出る周縁部３ａを前記ＥＶＡ製底板２の外形縁２ｂに沿って上方に折り曲げ、さらに周縁部３ａをＥＶＡ製底板２の上面２ｃに折り曲げ接着し、甲布８が対応する部分に通気孔１０を所要の大きさと相互に所要の間隔を存して多数個所に上下に貫通して開口してなる下部１ａと、前記ＥＶＡ製中板４は、前記ＥＶＡ製底板２の通気孔１０と一致する通気孔１１を上下に貫通して備え、該ＥＶＡ製中板４の上面４ａの周縁部及びヒール部に接着剤１３を塗布した後、発泡ヒールクッション７を接着重合し、その発泡ヒールクッション７を含めてＥＶＡ製中板４の上面に前記通気性中敷き６を接着重合し、その通気性中敷き６の前半部に甲布８の下周縁部８ｃを重合し、その甲布８の下周縁部８ｃを含む通気性中敷き６の全周縁に、前記環状の縁テープ９を裏返してその内周縁９ａを重合した後、その内周縁９ａの全周を下糸と上糸からなる上部一体用縫糸１４ａ、１４ｂにより環状に逢着し、前記ＥＶＡ製インナーヒール５の上面に接着剤１６を塗布し、ＥＶＡ製中板４の下面に接着した後、前記縁テープ９の両端を縁テープ環状用縫糸１２により逢着結合して該環状の縁テープ９を、前記内側の上部一体用縫糸１４ｂによる環状逢着列に沿って外側に折返し、その外周縁９ｂを前記ＥＶＡ製中板４の下側に折返して通気性中敷き６、甲布８の下周縁部８ｃ、ＥＶＡ製インナーヒール５及びＥＶＡ製中板４を包み、かつ、ＥＶＡ製中板４及びＥＶＡ製インナーヒール５の下面に塗布した接着剤に接着重合して上部１ｂを設け、該上部１ｂの通気孔１１と前記下部１ａの通気孔１０と一致して接着重合した後、前記縁テープ９の内周縁の内側を下糸と上糸からなる上下部一体用縫糸１７により環状に逢着してスリッパ１の上部１ａと下部１ｂを一体に逢着結合してなるスリッパ。
【実施例】
【００１７】
以下、本考案のスリッパを実施の一例として示す図面により説明すると、部材として、図１に示すように、被覆用合成樹脂シート３、中板４、上面の前半が斜めに削切されて形成されるインナーヒール５、通気性中敷き６、発泡ヒールクッション７、甲布８及び縁テープ９から構成される。
【００１８】
前記実施例のスリッパ１は、実施例として、底板２は、所要厚のＥＶＡ資材板から所要形状に外形が型抜きされて形成され、前記被覆用合成樹脂シート（以下、単に被覆用塩ビという。）３は、所要厚の塩化ビニールロールシートから所要形状に外形が型抜きされて形成され、前記中板４は、所要厚のＥＶＡ資材板から所要形状に外形が型抜きされ、前記インナーヒール５は、所要厚のＥＶＡ資材板から所要形状に外形が型抜きされ、前記通気性中敷き６は、合成樹脂繊維製織物に適宜厚の通気性発泡クッションシートを裏付けした表装布から所要外形に型抜きされて形成され、前記発泡ヒールクッション７は、所要厚の連続発泡材から所要外形に型抜きされて形成され、前記甲布８は、所要形状に裁断された表布８ａと裏布８ｂとを縫製して構成され、前記縁テープ９は、素材布をバイアス方向に裁断されて形成される。なお、ここで部材として発泡ヒールクッション７を除いて構成する他の実施例を詳細には説明しないが提案おく。
【００１９】
前記ＥＶＡ製底板２の下面２ａに被覆用塩ビ３を被覆し、その外側にはみ出る周縁部３ａを前記ＥＶＡ製底板２の外形縁２ｂに沿って上方に折り曲げ、さらに周縁部３ａをＥＶＡ製底板２の上面２ｃに折り曲げ接着してなるものである。
【００２０】
前記被覆用塩ビ３を被覆したＥＶＡ製底板２において、甲布８が対応する部分に通気孔１０を所要の大きさと相互に所要の間隔を存して多数個所に上下に貫通して開口しスリッパ１の下部１ａを設ける。前記通気孔１０の配列は、同一抜き型により同一径、同一パターンに離隔して開口する。
【００２１】
前記ＥＶＡ製中板４において、通気孔１１を前記ＥＶＡ製底板２における通気孔１０と一致するように、同一抜き型により同一径、同一パターンに離隔して開口する。
【００２２】
前記縁テープ９の両端を縁テープ環状用縫糸１２により逢着結合して環状に設け、次に、ＥＶＡ製中板４の上面４ａの周縁部及びヒール部に接着剤１３を塗布した後、発泡ヒールクッション７を接着重合し、その発泡ヒールクッション７を含めてＥＶＡ製中板４の上面に通気性中敷き６を接着重合し、通気性中敷き６の前半部に甲布８の下周縁部８ｃを重合し、その甲布８の下周縁部８ｃを含む通気性中敷き６の全周縁に、前記環状の縁テープ９を裏返してその内周縁９ａを重合した後、その内周縁９ａの全周を下糸と上糸からなる上部一体用縫糸１４ａ、１４ｂによりＥＶＡ製中板４に環状に逢着する。
【００２３】
ＥＶＡ製インナーヒール５の上面に、その前端を除く三方周縁に接着剤１６を塗布し、ＥＶＡ製中板４の下面に接着した後、前記環状の縁テープ９を、前記内側の上部一体用縫糸１４ｂによる環状逢着列に沿って外側に折返し、その外周縁９ｂを前記ＥＶＡ製中板４の下側に折返して通気性中敷き６、甲布８の下周縁部８ｃ、ＥＶＡ製インナーヒール５及びＥＶＡ製中板４を包み、かつ、ＥＶＡ製中板４及びＥＶＡ製インナーヒール５の下面に塗布した接着剤（図示しない。）に接着重合して、図３に示すように、本考案の実施例のスリッパ１の上部１ｂを設ける。
【００２４】
前記被覆用塩ビ３を被覆したＥＶＡ製底板２の上面におけるヒール部の周縁及び前記被覆用塩ビ３の折り返した周縁部３ａに接着剤１５を塗布し、本考案の実施例のスリッパ１の下部１ａの通気孔１０と上部１ｂの通気孔１１を一致して仮止め接着重合した後、図４に示すように、前記縁テープ９の内周縁の内側を下糸と上糸からなる上下部一体用縫糸１７により環状に逢着してスリッパ１の上部１ａと下部１ｂを一体に逢着結合してなるもものである。
【００２５】
ＥＶＡ製底板２を被覆する被覆用塩ビ３の下面に上糸と下糸とからなるヒール滑り止め用縫糸１８によりヒール滑り止め１９を予め逢着している。
【産業上の利用可能性】
【００２６】
本考案は、蒸れ防止機能に加えて良好なクッション性による優れた履き心地と長期にわたる保形性及び耐久性と優れたデザイン性とを備えるスリッパを提供できる。
【図面の簡単な説明】
【００２７】
【図１】本考案の実施例のスリッパを構成する部材を示す分解斜視図である。
【図２】同じく、部材の中で、ＥＶＡ製底板の上面及び該ＥＶＡ製底板を被覆した被覆用塩ビの折曲げ面、ＥＶＡ製インナーヒールとＥＶＡ製中板の各部材上面に塗布した接着剤の塗布状況を説明する分解斜視図である。
【図３】前記部材を接着逢着して構成した本考案の実施例のスリッパの上部の中央部分縦断面図である。
【図４】同じく、前記部材を接着逢着して構成した本考案の実施例のスリッパの下部の中央部分縦断面図である。
【図５】前記本考案の実施例のスリッパの上部と下部を接着逢着した全体の中央縦断面図である。
【図６】本考案の実施例のスリッパの上面側の斜視図である。
【図７】同じく、本考案の実施例のスリッパの下面側の斜視図である。
【符号の説明】
【００２８】
１  本発明の実施例のスリッパ
１ａ  下部
１ｂ  上部
２  ＥＶＡ製底板
２ａ  下面
２ｂ  外形縁
２ｃ  上面
３  被覆用塩化ビ
３ａ  周縁部
４  ＥＶＡ製中板
４ａ  上面
５  ＥＶＡ製インナーヒール
６  通気性中敷き
７  発泡ヒールクッション
８  甲布
８ａ  表布
８ｂ  裏布
８ｃ  下周縁部
９  縁テープ
９ａ  内周縁
９ｂ  外周縁
１０  通気孔
１１  通気孔
１２  縁テープ環状用縫糸
１３  接着剤
１４ａ  上部一体用縫糸
１４ｂ  上部一体用縫糸
１５  接着剤
１６  接着剤
１７  上下部一体用縫糸
１８  ヒール滑り止め縫糸
１９  ヒール滑り止め
【図１】
0003147378.tif 000003
【図２】
0003147378.tif 000004
【図３】
0003147378.tif 000005
【図４】
0003147378.tif 000006
【図５】
0003147378.tif 000007
【図６】
0003147378.tif 000008
【図７】
0003147378.tif 000009